【手続補正書】
【提出日】平成18年9月7日(2006.9.7)
【手続補正１】
【補正対象書類名】特許請求の範囲
【補正対象項目名】全文
【補正方法】変更
【補正の内容】
【特許請求の範囲】
【請求項１】
研磨性清浄製品であって、
研磨性層と吸収性層とを含む擦り落としパッドを備え、前記研磨性層は前記擦り落としパッドの外面を形成し、前記吸収性層は、第１ポリマー・ストランドと第２ポリマー・ストランドを含む集合繊維からなり、該集合繊維は繊維長を定め、前記第１及び第２ポリマー・ストランドは、少なくとも約５ｍｍの前記繊維長にわたって互いに付着され、前記第１及び第２ポリマー・ストランドの各々は、約１５ミクロンから約５００ミクロンまでの間の平均断面直径を有し、前記集合繊維は、非円形の断面を定めるものであり、前記吸収性層は繊維セルロースウェブからなるものであることを特徴とする研磨性清浄製品。
【請求項２】
前記集合繊維が、実質的に平行なアレイとして並列に配列された２つより多いポリマー・ストランドを含むことを特徴とする請求項１に記載の研磨性清浄製品。
【請求項３】
前記集合繊維のアスペクト比が約２より大きいことを特徴とする請求項２に記載の研磨性清浄製品。
【請求項４】
前記集合繊維の前記繊維長の一部に沿ってスプリットがさらに定められ、前記集合繊維のスプリットは、前記ポリマー・ストランドに平行であることを特徴とする請求項１に記載の研磨性清浄製品。
【請求項５】
前記集合繊維が、該集合繊維の長さに沿ってツイストされることを特徴とする請求項１に記載の研磨性清浄製品。
【請求項６】
前記第１及び第２ポリマー・ストランドは、並列構成に付着される前には、それぞれ実質的に円形の断面を定め、前記第１及び第２ポリマー・ストランドは、前記集合繊維における前記個々の実質的に円形の断面の要素を維持することを特徴とする請求項１に記載の研磨性清浄製品。
【請求項７】
前記ポリマー・ストランドの両方が、約１２０℃又はそれより高い融点を有する熱可塑性ポリマーを含むことを特徴とする請求項１に記載の研磨性清浄製品。
【請求項８】
前記熱可塑性ポリマーが、ポリプロピレン、ポリエチレン、ポリエステル、高密度ポリプロピレン、ポリスチレン、ポリアミド、ポリビニリデン、ポリウレタン、ポリ尿素、及びこれらのコポリマーからなる群から選択されることを特徴とする請求項７に記載の研磨性清浄製品。
【請求項９】
前記ポリマー・ストランドが多成分ポリマー・ストランドであることを特徴とする請求項１に記載の研磨性清浄製品。
【請求項１０】
前記繊維長が約１ｃｍより長いことを特徴とする請求項１に記載の研磨性清浄製品。
【請求項１１】
前記ポリマー・ストランドの両方がメタロセン・ポリマーを含むことを特徴とする請求項１に記載の研磨性清浄製品。
【請求項１２】
前記ポリマー・ストランドの両方が、約２０００ｇ／１０分又はそれより小さい溶融流速を有するポリマーを含むことを特徴とする請求項１に記載の研磨性清浄製品。
【請求項１３】
前記ポリマー・ストランドが半透明であることを特徴とする請求項１に記載の研磨性清浄製品。
【請求項１４】
平坦な基材に研磨性ポリマー繊維を含み、該研磨性ポリマー繊維は、厚さが幅にわたって変化するように不均一に分布されており、前記メルトブローウェブは約０．２ｍｍか、それ以上の厚さ変数を有するものであり、前記メルトブローウェブは、約１００より大きい通気性をもつ開放多孔性構造を有し、前記メルトブローウェブは、繊維セルロースウェブに取り付けられるようになっていることを特徴とするメルトブローン・ウェブ。
【請求項１５】
前記メルトブローン・ウェブが実質的にラテックスを含まないことを特徴とする請求項１４に記載のメルトブローン・ウェブ。
【請求項１６】
前記研磨性繊維が、約１２０℃又はそれより高い融点を有する熱可塑性ポリマー繊維を含むことを特徴とする請求項１４に記載のメルトブローン・ウェブ。
【請求項１７】
前記熱可塑性ポリマーが、ポリプロピレン、ポリエチレン、ポリエステル、高密度ポリプロピレン、ポリスチレン、ポリアミド、ポリビニリデン、ポリウレタン、ポリ尿素、及びこれらのコポリマーからなる群から選択されることを特徴とする請求項１６に記載のメルトブローン・ウェブ。
【請求項１８】
前記メルトブローン・ウェブが、２つ又はそれ以上の異なる熱可塑性ポリマー繊維を含むことを特徴とする請求項１７に記載のメルトブローン・ウェブ。
【請求項１９】
前記異なる熱可塑性ポリマー繊維が、前記メルトブローン・ウェブ内に実質的に均質に分布されることを特徴とする請求項１８に記載のメルトブローン・ウェブ。
【請求項２０】
前記異なる熱可塑性ポリマー繊維が、前記メルトブローン・ウェブ内に実質的に不均質に分布されることを特徴とする請求項１８に記載のメルトブローン・ウェブ。
【請求項２１】
前記研磨性ポリマー繊維が、約４０ミクロンより大きい平均直径を有することを特徴とする請求項１４に記載のメルトブローン・ウェブ。
【請求項２２】
前記研磨性ポリマー繊維が多成分繊維を含むことを特徴とする請求項１４に記載のメルトブローン・ウェブ。
【請求項２３】
前記研磨性ポリマー繊維が約１ｃｍより大きい長さを有することを特徴とする請求項１４に記載のメルトブローン・ウェブ。
【請求項２４】
前記メルトブローン・ウェブが、約０．５ｍｍより大きい平均厚さを有することを特徴とする請求項１４に記載のメルトブローン・ウェブ。
【請求項２５】
前記メルトブローン・ウェブがさらに粒子状物質を含み、前記粒子状物質が、前記メルトブローン・ウェブの研磨性を増大させることを特徴とする請求項１４に記載のメルトブローン・ウェブ。
【請求項２６】
前記メルトブローン・ウェブが、約１０ｇｓｍより大きい坪量を有することを特徴とする請求項１４に記載のメルトブローン・ウェブ。
【請求項２７】
前記メルトブローン・ウェブの表面積の約５％又はそれ以上が、前記メルトブローン・ウェブの軸方向深さを貫通して延びる孔を含むことを特徴とする請求項１４に記載のメルトブローン・ウェブ。
【請求項２８】
実質的に非円形の断面を定める複数の集合繊維をさらに含み、前記集合繊維が、該集合繊維の少なくとも約５ｍｍの長さに沿って並列構成に接合された２つ又はそれ以上の研磨性ポリマー繊維を含むことを特徴とする請求項１４に記載のメルトブローン・ウェブ。
【請求項２９】
前記複数の集合繊維の各々が、約３又はそれ以上のアスペクト比を有する断面を定めることを特徴とする請求項２８に記載のメルトブローン・ウェブ。
【請求項３０】
前記集合繊維が、前記メルトブローン・ウェブの重量の５％又はそれ以上を構成することを特徴とする請求項２８に記載のメルトブローン・ウェブ。
【請求項３１】
前記複数の集合繊維がフォーク形の集合繊維を含むことを特徴とする請求項２８に記載のメルトブローン・ウェブ。
【請求項３２】
前記複数の集合繊維がツイストされた集合繊維を含むことを特徴とする請求項２８に記載のメルトブローン・ウェブ。
【請求項３３】
約５ｃｍ又はそれより大きい長さを有する集合繊維を含むことを特徴とする請求項２８に記載のメルトブローン・ウェブ。
【請求項３４】
前記ポリマー繊維がメタロセン・ポリマーを含むことを特徴とする請求項１４に記載のメルトブローン・ウェブ。
【請求項３５】
前記メルトブローン・ウェブが、約２０００ｇ／１０分又はそれ以下の溶融流速を有するポリマーを含むことを特徴とする請求項１４に記載のメルトブローン・ウェブ。
【請求項３６】
前記メルトブローン・ウェブが、凸領域を有する単位セルの繰り返しパターンを付与するために立体面に接触して成形され、前記単位セルは、約５平方ミリメートル又はそれ以上の面積を有することを特徴とする請求項１４に記載のメルトブローン・ウェブ。
【請求項３７】
前記メルトブローン・ウェブが約１又はそれより大きい研磨性指数を有することを特徴とする請求項１４に記載のメルトブローン・ウェブ。
【請求項３８】
前記メルトブローン・ウェブが、たわしパッド、磨きパッド、やすり掛けパッド、パーソナルクレンジングパッド、ピーリングパッドからなるグループから選択されるものであることを特徴とする請求項１４に記載のメルトブローン・ウェブ。
【請求項３９】
前記研磨性ポリマー繊維が、約４０から約５００ミクロンまでの間の平均直径を有することを特徴とする請求項１４に記載のメルトブローン・ウェブ。
【請求項４０】
前記メルトブローン・ウェブの通気性が約１００ＣＦＭより大きいことを特徴とする請求項１４に記載のメルトブローン・ウェブ。
【請求項４１】
石鹸、洗剤、緩衝剤、抗菌剤、皮膚健康剤、ローション、薬剤、研磨性剤、及びこれらの混合物からなる群から選択される添加剤を含むことを特徴とする請求項１４から４０のいずれかに記載のポリマーメルトブローン・ウェブ。
【請求項４２】
メルトブローン・ウェブを形成する方法であって、
研磨性ポリマー繊維をメルトブローン・ダイから形成布上に不均一に分布するように押出して、メルトブローン・ウェブの厚さが該メルトブローン・ウェブの幅にわたって変化するようにすることを含み、前記メルトブローン・ウェブが、開放多孔性構造と、約１００ＣＦＭより大きい通気性とを有することを特徴とする方法。
【請求項４３】
前記メルトブローン・ウェブが、熱可塑性ポリマー繊維と、２つ又はそれ以上の熱可塑性ポリマー繊維が長さに沿って少なくとも約５ｍｍにわたって互いに並列構成で付着された熱可塑性集合繊維とを含むことを特徴とする請求項４２に記載の方法。
【請求項４４】
前記メルトブローン・ダイ先端部と前記形成布が、約１０インチより小さい距離だけ離間されることを特徴とする請求項４３に記載の方法。
【請求項４５】
前記メルトブローン・ダイが、約１２から約２０ｐｓｉｇまでの間の加圧空気源を備えることを特徴とする請求項４３に記載の方法。
【請求項４６】
前記メルトブローン・ウェブが、約０．５ｍｍより大きい平均厚さを有することを特徴とする請求項４２に記載の方法。
【請求項４７】
細くされた熱可塑性繊維を含む加工前ウェブを形成し、前記加工前ウェブを前記熱可塑性繊維の融点より低い温度に加熱して、前記細くされた繊維の一部を縮ませて、節のある繊維残部を形成することをさらに含み、前記メルトブローン・ウェブが、前記節のある繊維残部を含むことを特徴とする請求項４２に記載の方法。
【請求項４８】
前記メルトブローン・ダイは、多区域ダイを含むことを特徴とする請求項４２に記載の方法。
【請求項４９】
前記メルトブローン・ウェブが、高度にテクスチャ加工された形成ベルト上に形成されることを特徴とする請求項４２に記載の方法。
【請求項５０】
前記メルトブローン・ウェブに添加剤を組み入れることをさらに含む、請求項４２に記載の方法。
【請求項５１】
前記メルトブローン・ダイが、前記ダイ先端部において約１０ｐｓｉｇより小さい加圧空気流を含むことを特徴とする請求項４２に記載の方法。